【手続補正書】
【提出日】令和3年11月16日(2021.11.16)
【手続補正１】
【補正対象書類名】特許請求の範囲
【補正対象項目名】全文
【補正方法】変更
【補正の内容】
【特許請求の範囲】
【請求項１】
複数の構成要素（５０１，５０２，５１１，５１２，５１５，５１６，５２１，５２２，５２３）からなる産業装置（５３０）の製造を監視するデバイス（７０１）であって、
前記複数の構成要素（５０１，５０２，５１１，５１２，５１５，５１６，５２１，５２２，５２３）のうちの第１の構成要素（５０１，５０２，５１１，５１２，５１５，５１６，５２１，５２２，５２３）の複数の製造工程の各々について、該第１の構成要素（５０１，５０２，５１１，５１２，５１５，５１６，５２１，５２２，５２３）に関連する第１の分散型台帳（６００〜６０９）において各前記製造工程に関連する各エントリ（６７１〜６７３）のデポジションをトリガし、
前記第１の構成要素（５０１，５０２，５１１，５１２，５１５，５１６，５２１，５２２，５２３）を前記複数の構成要素（５０１，５０２，５１１，５１２，５１５，５１６，５２１，５２２，５２３）のうちの第２の構成要素（５０１，５０２，５１１，５１２，５１５，５１６，５２１，５２２，５２３）に組み入れるときに、該第２の構成要素（５０１，５０２，５１１，５１２，５１５，５１６，５２１，５２２，５２３）に関連する第２の分散型台帳（６００〜６０９）において前記第１の分散型台帳（６００〜６０９）のカプセル化をトリガする、ように構成された制御回路を備え、
前記第１の分散型台帳（６００〜６０９）は、複数の第１のブロックからなる第１のブロックチェーンであり、
前記第２の分散型台帳（６００〜６０９）は、複数の第２のブロックからなる第２のブロックチェーンである、デバイス（７０１）。
【請求項２】
前記第２の分散型台帳（６００〜６０９）において前記第１の分散型台帳（６００〜６０９）のカプセル化をトリガするときに、
前記第２の分散型台帳（６００〜６０９）において、前記第２の構成要素（５０１，５０２，５１１，５１２，５１５，５１６，５２１，５２２，５２３）に前記第１の構成要素（５０１，５０２，５１１，５１２，５１５，５１６，５２１，５２２，５２３）を組み入れる各製造工程に関連する各エントリ（６７１〜６７３）のデポジションをトリガすることを含む、請求項１に記載のデバイス（７０１）。
【請求項３】
前記第１の分散型台帳（６００〜６０９）の前記エントリ（６７１〜６７３）は、前記製造工程の物理的、技術的パラメータを示す、請求項１又は２に記載のデバイス（７０１）。
【請求項４】
前記物理的、技術的パラメータは、エラーログ、工程時間、環境パラメータ、及び製造設備の動作パラメータを含む群から選択される、請求項３に記載のデバイス（７０１）。
【請求項５】
前記制御回路は、再帰的完全性チェックを実行するようにさらに構成され、該再帰的完全性チェックは、前記第１の分散型台帳（６００〜６０９）における実行前に、前記第２の分散型台帳（６００〜６０９）において実行される、請求項１〜４のいずれか１項に記載のデバイス（７０１）。
【請求項６】
複数の構成要素（５０１，５０２，５１１，５１２，５１５，５１６，５２１，５２２，５２３）からなる産業装置（５３０）の製造を監視する方法であって、
前記複数の構成要素（５０１，５０２，５１１，５１２，５１５，５１６，５２１，５２２，５２３）のうちの第１の構成要素（５０１，５０２，５１１，５１２，５１５，５１６，５２１，５２２，５２３）の複数の製造工程の各々について、該第１の構成要素（５０１，５０２，５１１，５１２，５１５，５１６，５２１，５２２，５２３）に関連する第１の分散型台帳（６００〜６０９）において各前記製造工程に関連する各エントリ（６７１〜６７３）のデポジションをトリガし、
前記第１の構成要素（５０１，５０２，５１１，５１２，５１５，５１６，５２１，５２２，５２３）を前記複数の構成要素（５０１，５０２，５１１，５１２，５１５，５１６，５２１，５２２，５２３）のうちの第２の構成要素（５０１，５０２，５１１，５１２，５１５，５１６，５２１，５２２，５２３）に組み入れるときに、該第２の構成要素（５０１，５０２，５１１，５１２，５１５，５１６，５２１，５２２，５２３）に関連する第２の分散型台帳（６００〜６０９）において前記第１の分散型台帳（６００〜６０９）のカプセル化をトリガする、ことを含み、
前記第１の分散型台帳（６００〜６０９）は、複数の第１のブロックからなる第１のブロックチェーンであり、
前記第２の分散型台帳（６００〜６０９）は、複数の第２のブロックからなる第２のブロックチェーンである、方法。
【請求項７】
前記第２の分散型台帳（６００〜６０９）において前記第１の分散型台帳（６００〜６０９）のカプセル化をトリガするときに、
前記第２の分散型台帳（６００〜６０９）において、前記第２の構成要素（５０１，５０２，５１１，５１２，５１５，５１６，５２１，５２２，５２３）に前記第１の構成要素（５０１，５０２，５１１，５１２，５１５，５１６，５２１，５２２，５２３）を組み入れる各製造工程に関連する各エントリ（６７１〜６７３）のデポジションをトリガすることを含む、請求項６に記載の方法。
【請求項８】
前記第１の分散型台帳（６００〜６０９）の前記エントリ（６７１〜６７３）は、前記製造工程の物理的、技術的パラメータを示す、請求項６又は７に記載の方法。
【請求項９】
前記物理的、技術的パラメータは、エラーログ、工程時間、環境パラメータ、及び製造設備の動作パラメータを含む群から選択される、請求項８に記載の方法。
【請求項１０】
再帰的完全性チェックを実行することをさらに含み、該再帰的完全性チェックは、前記第１の分散型台帳（６００〜６０９）における実行前に、前記第２の分散型台帳（６００〜６０９）において実行される、請求項６〜９のいずれか１項に記載の方法。
【手続補正２】
【補正対象書類名】明細書
【補正対象項目名】０００６
【補正方法】変更
【補正の内容】
【０００６】
産業装置の製造を監視するデバイスが提供される。その産業装置は、複数の構成要素を含んでいる。当該デバイスは、複数の構成要素のうちの第１の構成要素の複数の製造工程のそれぞれについて、該第１の構成要素に関連する第１の分散型台帳における各エントリのデポジション（預け入れ）をトリガするように構成された制御回路を含み、その各エントリは、各製造工程に関連する。この制御回路は、さらに、複数の構成要素のうちの第２の構成要素に第１の構成要素を組み入れるときに、該第２の構成要素に関連する第２の分散型台帳において第１の分散型台帳のカプセル化をトリガするように構成される。第１の分散型台帳は、複数の第１のブロックからなる第１のブロックチェーンであり、第２の分散型台帳は、複数の第２のブロックからなる第２のブロックチェーンである。
【手続補正３】
【補正対象書類名】明細書
【補正対象項目名】０００７
【補正方法】変更
【補正の内容】
【０００７】
複数の構成要素を含む産業装置の製造を監視する方法が提供される。本方法は、複数の構成要素のうちの第１の構成要素の複数の製造工程のそれぞれについて、該第１の構成要素に関連する第１の分散型台帳における各エントリのデポジションをトリガするステップを含み、その各エントリは、各製造工程に関連する。本方法は、さらに、複数の構成要素のうちの第２の構成要素に第１の構成要素を組み入れるときに、該第２の構成要素に関連する第２の分散型台帳において第１の分散型台帳のカプセル化をトリガするステップを含む。第１の分散型台帳は、複数の第１のブロックからなる第１のブロックチェーンであり、第２の分散型台帳は、複数の第２のブロックからなる第２のブロックチェーンである。
【手続補正４】
【補正対象書類名】明細書
【補正対象項目名】０００８
【補正方法】変更
【補正の内容】
【０００８】
コンピュータプログラム（コンピュータプログラム製品）は、少なくとも１つのプロセッサによって実行することができるプログラムコードを含む。プログラムコードを実行する少なくとも１つのプロセッサは、複数の構成要素を含む産業装置の製造を監視する方法を実行する。この方法は、複数の構成要素のうちの第１の構成要素の複数の製造工程のそれぞれについて、該第１の構成要素に関連する第１の分散型台帳における各エントリのデポジションをトリガするステップを含み、その各エントリは、各製造工程に関連する。本方法は、さらに、複数の構成要素のうちの第２の構成要素に第１の構成要素を組み入れるときに、該第２の構成要素に関連する第２の分散型台帳において第１の分散型台帳のカプセル化をトリガするステップを含む。第１の分散型台帳は、複数の第１のブロックからなる第１のブロックチェーンであり、第２の分散型台帳は、複数の第２のブロックからなる第２のブロックチェーンである。
【手続補正５】
【補正対象書類名】明細書
【補正対象項目名】００２０
【補正方法】変更
【補正の内容】
【００２０】
図１は、産業装置５３０に関して一形態を概略的に示す。産業装置５３０は、複数の構成要素５０１〜５２３を含む。具体的には、産業装置５３０は、複数の階層の構成要素、すなわち、最上位の階層レベルにある階層１の構成要素５２１〜５２３と、次に低い階層レベルにある階層２の構成要素５１１〜５１６と、最下位の階層レベルにある階層３の構成要素５０１，５０２とを含む。例えば、階層３の構成要素５０１，５０２は、産業装置５３０の製造中に、階層２の構成要素５１１に組み入れられ、そしてさらに、階層２の構成要素５１２と共に階層１の構成要素５２１に組み入れられる。階層１の構成要素５２１は、次に、階層１の別の構成要素５２２，５２３と組み合わせられて、産業装置５３０のシステムを構成する。
【手続補正６】
【補正対象書類名】明細書
【補正対象項目名】００２２
【補正方法】変更
【補正の内容】
【００２２】
例えば、図１の構成要素５１１を、産業装置の例としてコンピュータ５３０に組み入れられるグラフィックスカードとする。この場合、コンピュータ５３０の品質特性がグラフィックスカードの種類及び型式に応じて変わる。ここに開示する技術によれば、当該グラフィックスカードの種類及び型式の指定を含んだ、コンピュータの製造の改竄防止ログを提供することが可能である。
【手続補正７】
【補正対象書類名】明細書
【補正対象項目名】００２９
【補正方法】変更
【補正の内容】
【００２９】
各トランザクション６６１〜６６３は、通例、トランザクションの所有者によって署名される。署名６３１〜６３３はブロック６７１〜６７３の一部となり、したがって、次のブロック６７１〜６７３のハッシュ値６２１〜６２３の一部にもなる。秘密鍵（私有鍵）６４１〜６４３と、トランザクション６６１〜６６３（より具体的にはトランザクション６６１〜６６３に基づいて計算されるハッシュ値６２１〜６２３）を入力として使用する各署名アルゴリズムとに基づいて、署名６３１〜６３３が生成される。署名６３１〜６３３は、それぞれの所有者の公開鍵に基づいて検証することができる。
【手続補正８】
【補正対象書類名】明細書
【補正対象項目名】００５３
【補正方法】変更
【補正の内容】
【００５３】
ボックス１００２の１回以上の反復の後、ボックス１００３で、さらなる製造工程は発生しないと判断された場合、ボックス１００４が実行される。ボックス１００４で、ボックス１００２の１つ以上の反復に関連する１つ以上のエントリを含む分散型台帳を、別のより上位の階層の分散型台帳へカプセル化することがトリガされる。